(57)【要約】【課題】塵埃排出が容易な集塵装置及びそれを用いた電気掃除機を提供する。【解決手段】前部に吸入口９を有する集塵ボックス１１ａと、前記集塵ボックス１１ａの後部を塞ぐように設けられると共に一端が前記集塵ボックス１１ａに対し回動自在の上流フィルター２７と、前記上流フィルター２７の後部を塞ぐように設けられ前記上流フィルター２７を通過した塵埃を捕集する下流フィルター４０と、前記上流フィルター２７に略垂直方向に伸びて設けられた延出部４５とを備え、前記延出部４５を、前記集塵ボックス１１ａ内の前記上流フィルター２７の回動中心１１ｂ側で、かつ前記回動中心１１ｂと、前記吸入口９との間に位置させたもので、集塵ボックス１１ａ内に蓄積した塵埃を廃棄する際、上流フィルター２７に設けた延出部４５で塵埃が掻き出され、塵埃を容易に外に排出することができる。【選択図】図４
2008301994.tif 000002
【特許請求の範囲】
【請求項１】
前部に吸入口を有する集塵ボックスと、前記集塵ボックスの後部を塞ぐように設けられると共に一端が前記集塵ボックスに対し回動自在の上流フィルターと、前記上流フィルターの後部を塞ぐように設けられ前記上流フィルターを通過した塵埃を捕集する下流フィルターと、前記上流フィルターに略垂直方向に伸びて設けられた延出部とを備え、前記延出部を、前記集塵ボックス内の前記上流フィルターの回動中心側で、かつ前記回動中心と、前記吸入口との間に位置させたことを特徴とした集塵装置。
【請求項２】
延出部にフィルターを設けたことを特徴とした請求項１に記載の集塵装置。
【請求項３】
延出部の上面を上流から下流に平行な稜線を有する波型形状としたことを特徴とした請求項１又は２に記載の集塵装置。
【請求項４】
延出部を上流フィルターに着脱自在に設けたことを特徴とした請求項１〜３のいずれか１項に記載の集塵装置。
【請求項５】
請求項１〜４のいずれか１項に記載の集塵装置と、塵埃を含んだ外気を、前記集塵装置の吸入口から前記集塵装置内へ取り込む電動送風機とを備えた電気掃除機。
【発明の詳細な説明】
【技術分野】
【０００１】
本発明は、集塵装置およびそれを用いた電気掃除機に関するものである。
【背景技術】
【０００２】
電気掃除機に用いられる一般的な集塵装置は、後部に開口部を有し、塵埃を溜めておく集塵ボックスと、前記開口部に回動自在に設けられ塵埃を捕獲する平面フィルターから構成され、開口部を下に向け、平面フィルターを開くことにより、集塵ボックス内に蓄積した塵埃を捨てるようになっている（例えば、特許文献１参照）。
【特許文献１】特開２００５−３１８９１５号公報
【発明の開示】
【発明が解決しようとする課題】
【０００３】
しかしながら従来の集塵装置の構成では、集塵ボックス内に満タンに蓄積した塵埃を捨てる際、集塵ボックスの内壁と塵埃との摩擦抵抗により、簡単に塵埃を落とすことが困難であるため、集塵ボックスの内壁形状をテーパー状にする等して塵埃が落ちやすいように工夫されてきた。しかしながら、集塵ボックスの内壁形状をテーパー状にすると、塵埃の収納容量が減少すると共に、塵埃の種類によっては、落ちにくい場合もある等、非常に使用勝手が悪かった。
【０００４】
本発明は、上記課題を解決するものであり、塵埃排出が容易な集塵装置および電気掃除機を提供することを目的とする。
【課題を解決するための手段】
【０００５】
前記従来の課題を解決するために、本発明の集塵装置は、前部に吸入口を有する集塵ボックスと、前記集塵ボックスの後部を塞ぐように設けられると共に一端が前記集塵ボックスに対し回動自在の上流フィルターと、前記上流フィルターの後部を塞ぐように設けられ前記上流フィルターを通過した塵埃を捕集する下流フィルターと、前記上流フィルターに略垂直方向に伸びて設けられた延出部とを備え、前記延出部を、前記集塵ボックス内の前記上流フィルターの回動中心側で、かつ前記回動中心と、前記吸入口との間に位置させたもので、集塵ボックス内に蓄積した塵埃を廃棄する際、上流フィルターに設けた延出部によって塵埃が掻き出され、塵埃を容易に外に排出することができる。
【０００６】
また、本発明の電気掃除機は、請求項１〜４のいずれか１項に記載の集塵装置と、塵埃を含んだ外気を、前記集塵装置の吸入口から前記集塵装置内へ取り込む電動送風機とを備えたもので、塵埃廃棄が容易で、使用勝手の良い電気掃除機を提供することが出来る。
【発明の効果】
【０００７】
本発明の集塵装置及び電気掃除機は、前記上流フィルターに略垂直に備えられた延出部によって塵埃を外へ掻き出すことにより、塵埃がすし詰め状態で蓄積した場合でも比較的容易に塵埃を捨てることができる。
【発明を実施するための最良の形態】
【０００８】
第１の発明は、前部に吸入口を有する集塵ボックスと、前記集塵ボックスの後部を塞ぐように設けられると共に一端が前記集塵ボックスに対し回動自在の上流フィルターと、前記上流フィルターの後部を塞ぐように設けられ前記上流フィルターを通過した塵埃を捕集する下流フィルターと、前記上流フィルターに略垂直方向に伸びて設けられた延出部とを備え、前記延出部を、前記集塵ボックス内の前記上流フィルターの回動中心側で、かつ前記回動中心と、前記吸入口との間に位置させたもので、集塵ボックス内に蓄積した塵埃を廃棄する際、上流フィルターに設けた延出部によって塵埃が掻き出され、塵埃を容易に外に排出することができる。
【０００９】
第２の発明は、特に、第１の発明の延出部にフィルターを設けたもので、上流フィルターの内、延出部よりも下に位置するフィルター部分を有効に利用することが出来るので、フィルターの濾過面積を増やすことができで、塵埃の捕集性能を高めることができる。
【００１０】
第３の発明は、特に、第１又は第２の発明の延出部の上面を上流から下流に平行な稜線を有する波型形状としたもので、上流からの風の流れを整流する効果が発揮され、粗塵を、満遍なく堆積させる効果をもたらすとともに、ごみ離れを良くする効果をも発揮する。
【００１１】
第４の発明は、特に、第１〜３のいずれかひとつの発明の延出部を上流フィルターに着脱自在に設けたもので、延出部が塵埃などで汚れた場合でも、簡単に取り外して洗うことができるので、集塵装置を常に清潔な状態に保つことができる。
【００１２】
第５の発明は、請求項１〜４のいずれか１項に記載の集塵装置と、塵埃を含んだ外気を、前記集塵装置の吸入口から前記集塵装置内へ取り込む電動送風機とを備えたもので、塵埃廃棄が容易で、使用勝手の良い電気掃除機を提供することが出来る。
【００１３】
以下、本発明の実施の形態について、図面を参照しながら説明する。なお、この実施の形態によってこの発明が限定されるものではない。
【００１４】
（実施の形態１）
図１は、本発明の第１の実施の形態における集塵装置を搭載した電気掃除機の掃除機本体の断面図、図２は、同集塵装置の斜視図（上流フィルター及び下流フィルターを開いた状態）、図３は、同集塵装置の主要部の斜視図、図４は、同集塵装置の断面図である。
【００１５】
先ず、図１を用いて掃除機本体の全体構成を説明する。
【００１６】
図１に示すように、掃除機本体１は、本体ケース６で囲われ、掃除機本体１の下部の前方と後方のそれぞれに、移動用車輪４１ａ、４１ｂが取り付けられており、自在に走行することが可能になっている。掃除機本体１には、前面にホース（図示せず）を差し込むための吸気口２が設けられ、この吸気口２の後方に、本実施の形態における集塵装置１１を収納する集塵装置収納部３が形成されている。
【００１７】
更に、この集塵装置収納部３の後方に、吸引風を発生させる電動送風機４を収納した電動送風機室５が設けられている。
【００１８】
掃除機本体１の吸気口２には逆止弁１３が設けられ、収納された集塵装置１１の吸入口９は、逆止弁１３を介して吸気口２と連通するようになっており、ホースの先に装着した吸込み具（図示せず）から取り込んだ塵埃を集塵装置１１内に導入する風路を構成する。
【００１９】
パッキンインレット１０は、逆止弁１３の集塵装置１１側の端部に設けられ、集塵装置１１の吸入口９と逆止弁１３との間の密着性を保って、集塵装置１１の内と外とのシール状態を良好にしている。
【００２０】
集塵装置収納部３は、上方の本体ケース６が開口しており、この開口は、本体ケース６に一端を回動自在に支持された外蓋７により開閉される。外蓋７を開けた状態では、この開口から集塵装置１１を出し入れすることが可能であり、外蓋７を閉じた状態では、この開口の周縁部に設けられたパッキン８及び外蓋７と共に開口をシールすることができる。
【００２１】
図２に示すように、集塵装置１１は、大きく分けて、外郭を構成する集塵ボックス１１ａと、集塵ボックス１１ａの後部を塞ぐように設けられた上流フィルター２７と、更にその後方を塞ぐように設けられた下流フィルター４０とからなり、上流フィルター２７及び下流フィルター４０は、集塵ボックス１１ａの下方に設けられ、それぞれ回動中心１１ｂを有する２箇所のヒンジ部２５により、集塵ボックス１１ａに回動自在に、かつ開閉可能に取付けられている。
【００２２】
上流フィルター２７は、枠体２３と、その枠体２３と一体的に成形されたネット２２とから構成され、粗い塵埃を捕集する為に用いられる。枠体２３の集塵ボックス１１ａ側と下流フィルター４０側の両方の全周に、シール手段であるシールパッキン２４ａ、２４ｂ（図１に図示）が設けられ、上流フィルター２７及び下流フィルター４０を閉じたとき、集塵ボックス１１ａ及び下流フィルター４０のそれぞれと密封することができる。そして、集塵ボックス１１ａの上側に設置された爪部４６と、下流フィルター４０の上側に設置されたストッパー部２６とが嵌合することによって、集塵装置１１を密閉する構成となっている。
【００２３】
下流フィルター４０は、上流フィルター２７を通過した細かい塵埃を捕集する細塵用フィルターであり、プリーツ加工（断面形状を波状に加工すること。）しており、プリーツ加工された波状の山と谷の折り目の方向は、下流フィルター４０全体で上下方向に揃えてある。
【００２４】
また、集塵装置１１の下流フィルター４０の後側、即ち、枠体２３の開口周辺部と、電動送風機室５に通じる集塵装置収納部３の後壁との結合部に、シール手段であるシールパッキン（図１中の２４ｂ）が設けられ、集塵装置１１が集塵装置収納部３に収納されたとき、下流フィルター４０の後側の周辺部と集塵装置収納部３の後壁とをシールするようになっている。
【００２５】
このように構成された集塵装置１１は、集塵装置収納部３に収納されたとき、シール手段により、吸気口２と逆止弁１３との接合部、本体ケース６と外蓋７との接合部、及び下流フィルター４０の後側周辺部と集塵装置収納部  ３の後壁との接合部をそれぞれシールすることにより、集塵装置収納部  ３から密閉される。
【００２６】
次に、本実施の形態における集塵装置１１の主要部について説明する。図３の上流フィルター２７に示すように、上流フィルター２７に略垂直方向に延びた上面が平面状の延出部４５が設けられており、図４の主要断面図に示すように、ごみ捨てを行う時、粗塵５１は、上流フィルター２７がヒンジ部２５の回動中心１１ｂを中心に回動するとともに、延出部４５の上に堆積した粗塵５１をスムーズに捨てることができる。
【００２７】
以上のように構成された集塵装置１１及びそれを用いた電気掃除機の動作について説明する。
【００２８】
外部電源からの電源供給によって電動送風機４を駆動すると、電動送風機４は吸引風を発生する。すると、塵埃を含んだ外気は、吸気口２から掃除機本体１内に取り込まれ、逆止弁１３を通り、直線的に勢いよくネット状の上流フィルター２７にぶつかる。
【００２９】
このとき、空気に含まれた粗塵５１は、上流フィルター２７で捕集され、集塵装置１１内の前方かつ延出部４５の上に堆積する。細塵は、空気とともに上流フィルター２７を通過して、次の下流フィルター４０にぶつかり、集塵装置１１内の後方に堆積する。そして、塵埃がろ過された空気は、集塵装置１１の後方に在る電動送風機４を経由して掃除機本体１の外部へと排出される。
【００３０】
堆積した粗塵５１は、爪部４６を解除することで、ヒンジ部２５を中心に重力等の外的な力によって下流フィルター４０、上流フィルター２７の順に回動することで、延出部４５の上に堆積した粗塵５１は、集塵装置１１の外へと排出される。
【００３１】
尚、図５に示すように、延出部４５にフィルターＡ４７を設けるようにすれば、上流フィルター２７の全体を有効に利用でき濾過面積が拡大し、集塵能力を向上させることが出来る。
【００３２】
また、図６に示すように、延出部４５の上面に上流から下流に平行な稜線を有する波形形状４８を設ければ、上流からの風の流れを整流する効果が発揮され、粗塵５１を、満遍なく堆積させる効果をもたらすとともに、ごみ離れを良くする効果をも発揮する。
【００３３】
また、図７に示すように、延出部４５に凸部４９を、上流フィルター２７に凸部４９に嵌合する凹部５０をそれぞれ設け、延出部４５を上流フィルター２７に対して横からスライドして着脱できるようにすれば、延出部４５を外して簡単に洗浄することができ、常に清潔な状態を保つことができる。
【産業上の利用可能性】
【００３４】
以上のように、本発明に係る集塵装置は、粗塵の排出を容易に行うことができ、家庭用や業務用を問わず広く電気掃除機の用途に使用できる。
【図面の簡単な説明】
【００３５】
【図１】本発明の第１の実施の形態における集塵装置を搭載した電気掃除機の掃除機本体の断面図
【図２】同集塵装置の斜視図（上流フィルター及び下流フィルターを開いた状態）
【図３】同集塵装置の主要部の斜視図
【図４】同集塵装置の断面図
【図５】同集塵装置の上流フィルターの他の例を示す外観斜視図
【図６】同集塵装置の上流フィルターの他の例を示す外観斜視図
【図７】（ａ）同集塵装置の上流フィルターの他の例を示す断面図、（ｂ）Ａ部の拡大断面図
【符号の説明】
【００３６】
４      電動送風機
９      吸入口
１１    集塵装置
１１ａ  集塵ボックス
１１ｂ  回動中心
２５    ヒンジ部
２７    上流フィルター
４０    下流フィルター
４５    延出部
４７    フィルターＡ
４８    波型形状
４９    凸部
５０    凹部
５１    粗塵
【図１】
2008301994.tif 000003
【図２】
2008301994.tif 000004
【図３】
2008301994.tif 000005
【図４】
2008301994.tif 000006
【図５】
2008301994.tif 000007
【図６】
2008301994.tif 000008
【図７】
2008301994.tif 000009